(57)【要約】【課題】浴室を換気するための換気用の空気で障子の面材の浴室側面の乾燥を促進できる建具とする。【解決手段】上枠１０に換気通路３０を形成し、この換気通路３０は障子２の浴室側面２ａに向けて空気を流通するように下向きに開口した浴室側通路３１を有し、浴室を換気するために換気通路３０を流通する空気が障子２の面材２３の浴室側面２３ａに触れ、その換気用の空気で面材２３の浴室側面２３ａの乾燥を促進できるようにした建具。【選択図】図３
2008144438.tif 000002
【特許請求の範囲】
【請求項１】
枠体に障子を開閉自在に装着した建具であって、
前記建具の上方部分に、建具の浴室側と建具の脱衣室側を連通した換気通路を形成し、
前記換気通路は、障子の浴室側面に向けて空気を流出するように下向きに開口した浴室側通路を有していることを特徴とする建具。
【請求項２】
上枠の第１枠材と第２枠材との間に換気通路を形成した請求項１記載の建具。
【請求項３】
換気通路を開閉する開閉弁装置を設けた請求項１又は２記載の建具。
【請求項４】
開閉弁装置は浴室の負圧で開き位置となり、自重又は弾性材で閉じ位置となる弁体を有する請求項３記載の建具。
【発明の詳細な説明】
【技術分野】
【０００１】
本発明は、浴室開き戸、浴室引戸、浴室折戸等の浴室の出入口として用いる建具に関する。
【背景技術】
【０００２】
従来、浴室の出入口として用いる建具として、浴室を換気できる換気機能を有する建具が知られている。
例えば、特許文献１に開示したように、枠体に装着された障子の下框に換気通路を有する建具。
特許文献２に開示したように、枠体の縦枠と障子の縦框との間に換気通路を有する建具。
【特許文献１】特開２００５−４２３０６号公報
【特許文献２】特開２００６−３７６０２号公報
【発明の開示】
【発明が解決しようとする課題】
【０００３】
浴室の出入口として用いる建具は、浴室使用時に、その障子のガラスや樹脂プレートなどの面材の浴室側面は、湯水や湯気が触れて湿った状態であり、浴室使用後に乾いた状態となるまでに時間がかかるので、面材の浴室側面、框の面材装着部などにカビが発生する原因となっている。
前述の換気機能を有する建具においては、換気のために浴室に空気が流れるので、その換気用の空気を利用して面材の浴室側面の乾きを促進しようとしたが、前述した従来の各建具であると、換気時に、下框の換気通路、縦枠と縦框との間の換気通路から浴室に空気が直接流れ、その換気用の空気は面材に触れないので、面材の浴室側面の乾きを促進することができない。
なお、表裏面をパネルとしたパネルタイプの障子の場合には、浴室側のパネルの乾きを促進することができない。すなわち、障子の浴室側面の乾きを換気用の空気で促進できない。
【０００４】
また、前述した障子の下框に換気通路を有した建具であると、下框の見込み寸法、上下寸法が換気通路のために大きく、障子に凹凸が多く見栄えが悪い。
また、換気通路は浴室側から湯水が脱衣室側に流れ難くするために迷路形状であるから、汚れが溜まり易いと共に、落としにくい。
また、下框の換気通路から脱衣室の冷たい空気が浴室の下方部分に直接流れ、浴室内の人に当たるので、不快を感じることがある。
【０００５】
前述した縦枠と縦框との間に換気通路を有した建具であると、浴室の左右隅部に向けて空気が流れるので、その空気が浴室内に効率良く行き渡りづらい。
【０００６】
本発明の目的は、換気用の空気で障子の浴室側面の乾きを促進できること、障子の見栄えが良いこと、換気通路に汚れが溜まりにくいこと、換気通路を清掃し易いこと、換気用の空気が浴室内の人に直接当たることがないこと、換気用の空気が浴室内に効率良く行き渡ることを満足した建具を提供することである。
【課題を解決するための手段】
【０００７】
本発明は、枠体に障子を開閉自在に装着した建具であって、
前記建具の上方部分に、建具の浴室側と建具の脱衣室側を連通した換気通路を形成し、
前記換気通路は、障子の浴室側面に向けて空気を流出するように下向きに開口した浴室側通路を有していることを特徴とする建具である。
【０００８】
本発明においては、上枠の第１枠材と第２枠材との間に換気通路を形成することができる。
このようにすれば、上枠の第２枠材に障子を装着することができるから、その第２枠材を折戸、引戸、開き戸などの障子装着に見合う形状とすることで、折戸、引戸、開き戸とすることができる。
【０００９】
本発明によれば、換気通路を開閉する開閉弁装置を設けることができる。
このようにすれば、換気をしない時には換気通路を閉じて浴室の湯気等が脱衣室側に漏れることがないようにできる。また、入浴時に脱衣室から冷たい空気が浴室内に入ることがない。
【００１０】
本発明においては、開閉弁装置は浴室の負圧で開き位置となり、自重又は弾性材で閉じ位置となる弁体を有するものにできる。
このようにすれば、換気扇を駆動した換気時には弁体が自動的に開き位置となるし、換気扇を停止した時には弁体が自動的に閉じ位置となるから、弁体の誤動作がないし、面倒な開閉操作が不要である。
【発明の効果】
【００１１】
本発明によれば、換気時には建具の上方部分に形成した換気通路の浴室側通路から障子の浴室側面に向けて空気を流出するので、その空気が浴室側面に沿って流れ、その空気が障子の浴室側面に触れ、換気用の空気で障子の浴室側面の乾きを促進できる。
また、建具の上方部分に換気通路を形成したので、障子の下框は通常の框で良いから障子をスッキリと見栄えの良いものにできる。
また、換気通路の浴室側通路は下向きに開口しているから、汚れが溜まりにくい。また、換気通路を清掃し易い。
また、換気用空気は前述のように建具の上方部分から下に向けて流れるから、浴室内の人に直接当たることがないし、その換気用の空気が浴室内に効率良く行き渡るようにできる。
【発明を実施するための最良の形態】
【００１２】
図１に示すように、枠体１に障子２を開閉自在に装着して建具としてある。
前記枠体１は上枠１０と下枠１１と左右の縦枠１２で方形状である。
前記障子２は上框２０と下框２１と左右の縦框２２を方形状に連結し、その内部に面材２３を装着してある。この障子２は表裏面にパネルを設けたパネルタイプでも良い。
図１に示す建具は、２枚の障子２を折り畳み自在とした折れ戸としてある。これに限ることはなく、開き戸、片引戸、３枚引戸等でも良い。
【００１３】
図２に示すように、前記上框２０、下框２１、縦框２２の見込み方向浴室側寄りに面材２３が装着してあり、各框の浴室側面２０ａ，２１ａ，２２ａと面材２３の浴室側面２３ａの段差が小さく、障子２の浴室側面２ａは段差の小さなほぼ平坦面となっている。なお、前述のパネルタイプの障子の場合には障子の浴室側面は平坦である。
【００１４】
図２に示すように、前記建具における障子２の面材２３よりも上方部分、例えば上枠１０に換気通路３０が形成してある。この換気通路３０は建具の浴室側と建具の脱衣室側を連通し、脱衣室の空気が浴室に流れるようにする。
この換気通路３０は、建具の浴室側に開口した縦向きの浴室側通路３１と、建具の脱衣室側に開口した縦向きの脱衣室側通路３２と、この浴室側通路３１と脱衣室側通路３２を連通する横向きの中間通路３３とでほぼ下向きコ字形状である。
前記浴室側通路３１は、障子２の浴室側面２ａに向けて空気を流出するように下向きに開口している。例えば、下枠１１の浴室側部１１ａに向けて開口している。
【００１５】
このようであるから、換気時は脱衣室の空気が矢印ａ，ｂで示すように脱衣室側通路３２、中間通路３３を経て矢印ｃで示すように浴室側通路３１から下向きに流れ、その空気は障子２の面材２３の浴室側面２３ａに沿って浴室下方に向けて流れる。
したがって、換気用の空気で面材２３の浴室側面２３ａの乾燥を促進できる。
【００１６】
また、下框２１は上框２０と同様に見込み寸法、上下寸法の小さなもので、凹凸が少ないから、障子２がスッキリとした見栄えの良いものとすることができる。
【００１７】
また、換気通路３０は、浴室側通路３１が下向きに開口しているから、その換気通路３０に汚れが溜まりにくい。また、換気通路３０を清掃し易い。
また、換気用の空気は上枠１０から下向きに流れるので、浴室内の人に直接当たることがないし、換気用の空気が浴室内に効率良く行き渡る。
【００１８】
図２に示すように、前記換気通路３０には開閉弁装置４０が設けてあり、この開閉弁装置４０は換気通路３０を開放したり、閉じたりする。
例えば、上枠１０に弁体４１の基部４１ａを上下方向に回動自在に取付け、スプリング等の弾性材４２で先部４１ｂが上枠１０に接して換気通路３０を閉じる閉じ位置に保持し、浴室内を換気する換気扇を駆動して浴室内を負圧とすることで弁体４１が弾性材４２に抗して回動し、その先部ｂが上枠１０と離れる開き位置となるようにしてある。
【００１９】
このようにすれば、換気扇を駆動した浴室換気時には弁体４１が自動的に開き位置となるので、浴室内を換気できる。
また、換気扇を停止した浴室を換気しない時には弁体４１が自動的に閉じ位置となるので、浴室の湯気などが換気通路３０を通って脱衣室側に漏れることがない。また、入浴時に脱衣室の冷たい空気が換気通路３０を通って浴室内に入ることがない。
【００２０】
前記上枠１０は第１枠材、例えば、面内方向外側（上側）の外側枠材１３と第２枠材、例えば、面内方向内側（下側）の内側枠材１４を備え、その外側・内側枠材１３，１４を上下に離隔して縦枠１２に連結することで、両者の間に換気通路３０を形成し、この換気通路３０は上枠１０の長手方向略全長に亘って連続している。この実施の形態では外側枠材１３の下面はほぼ下向きコ字形状で、内側枠材１４の上面はほぼ逆Ｔ字形状で、外側枠材１３の下面と内側枠材１４の上面を離隔し、両者でほぼ下向きコ字状の換気通路３０を形成している。
なお、上枠１０を前述した外側枠材１３と内側枠材１４が一体的に連結された形状とし、その一部分に長手方向に亘る開口部を形成して換気通路３０を形成しても良い。
なお、外側枠材１３と内側枠材１４をスペーサを介して連結しても良い。
【００２１】
次に、他の実施の形態を説明する。
図３に示すように、開閉弁装置４０の弁体４１を自重で閉じ位置に回動し、浴室の負圧で開き位置に回動するようにしても良い。
つまり、外側枠材１３の横板１３ａに弁体４１の基部４１ａを回動自在に連結し、その弁体４１が自重で回動し、その先部４１ｂが内側枠材１４の上横板１４ａにおける浴室側部に接して閉じ位置となるようにする。この場合には、弁体４１が水でぬれた状態で仮想線で示すように開き位置の時に外側枠材１３の横板１３ａに水分で吸着して保持されることがあるので、その弁体４１に突条４１ｃを設け、この突条４１ｃが横板１３ａに接するようにして吸着して保持されることがないようにしてある。
図３に示す第２の実施の形態では、換気通路３０は縦向きの浴室側通路３１と横向きの脱衣室側通路３２とで鉤形状となっているので、清掃し易い。なお、換気通路３０は前述の図２に示すようにほぼ下向きコ字形状としても良い。
【００２２】
この実施の形態では、換気通路３０における開閉弁装置４０よりも浴室側部分に浴室側換気用空間を形成している。
【００２３】
図４に示すように、開閉弁装置４０の弁体４１を長尺で、通常時には空気が流通しない状態で、負圧が作用すると空気が流通する状態となるものとする。
そして、その弁体４１の幅方向両端部を換気通路３０の相対向した内側面間に跨って取付ける。つまり、弁体４１に負圧が作用するように取付ける。
例えば、上枠１０の外側枠材１３の横板１３ａと内側枠材１４の上横板１４ａとに上下取付用溝１５，１６を相対向して長手方向に連続して形成し、この上取付用溝１５と下取付用溝１６とに亘って弁体４１の上端縁と下端縁を挿入して取り付ける。
【００２４】
前記弁体４１としては図５に示すように弾性変形し易い上プレート４３と下プレート４４の長手方向両端面の上下寄りに弾性変形し易いリブ４５を固着し、通常時には図５（ａ）に示すように上プレート４３と下プレート４４が接して隙間がなく１枚のプレートのようになり、矢印ｄで示すように負圧が作用すると図５（ｂ）に示すように上プレート４３、下プレート４４、左右のリブ４５が湾曲変形して上プレート４３の下端面４３ａと下プレート４４の上端面４４ａが離れてスリット状の空間４６が形成されるものが用いられる。なお、リブ４５が弾性変形せずに上下プレート４３，４４のリブ４５と固着していない部分のみが湾曲変形するようにしても良い。
【００２５】
前記弁体４１は前述のものに限ることはなく、種々のものが用いられる。例えば、プレートを３枚以上としてスリット状の空間４６が複数形成されるものとしても良い。
【００２６】
前記開閉弁装置４０は弁体４１を手動操作で開閉するようにしても良い。
例えば、図６に示すように上枠１０の内側枠材１４の浴室側端部１４ｂに弁体４１の基部４１ａを上下回動自在に取付け、その弁体４１を上方に回動すると先部４１ｂが外側枠材１３の浴室側下端面１３ｂに接して閉じ位置となり、下方に回動すると開き位置となるようにする。
縦枠１２の浴室側上部寄りに操作レバー４７を上下回動自在に設ける。
前記操作レバー４７を縦向き姿勢とすると弁体４１の先部４１ｂを外側枠材１３の浴室側下端面１３ｂに押しつけて弁体４１を閉じ位置で保持するようにする。
前記操作レバー４７を仮想線で示す斜めの姿勢とすることで、弁体４１が仮想線で示すように自重で開き位置となるようにする。
つまり、換気通路３０の浴室側通路３１の出口部分を弁体４１で開閉自在とする。
【００２７】
図６に示すように、上枠１０の脱衣室側部に弁体４１を取付けて換気通路３０の脱衣室側通路３２の入口部分を閉じる。
前記弁体４１を手動で上方に移動又は取り外しすることで前述の脱衣室側通路３２の入口部分を開放する。
この弁体４１はつまみ４１ｄを備えたプレート形状で、簡単に上下に移動したり、取り外し取り付けできるようにしてある。
【００２８】
前述のように、換気通路３０の出口側部分と入口側部分に開閉弁装置４０をそれぞれ設けても良いし、どちらか一方にのみ設けても良い。
【００２９】
図７に示すように、上枠１０の外側枠材１３の脱衣室側縦板１３ｃに弁体４１の基部４１ａを回動自在に取付け、その弁体４１の先部４１ｂを内側枠材１４の脱衣室側縦板１４ｃに当接して閉じ位置とする。
つまり、前記外側枠材１３の脱衣室側縦板１３ｃの下端面と内側枠材１４の脱衣室側縦板１４ｃの上端面との間が換気通路３０の入口としてある。
前記弁本体４１の先部４１ｂに操作部材、例えば紐４８を連結し、この紐４８をピン４９を経て垂れ下げ、その紐４８を引くことで弁体４１が開き位置となるようにする。
【００３０】
前記紐４８にはつまみ部材５０が連結され、このつまみ部材５０はガイド５１に沿って上下動自在である。
そして、つまみ部材５０を実線で示す上方位置とすることで弁本体４１は自重又は弾性材で閉じ位置に回動し、つまみ部材５０を持って下方に引っ張って仮想線で示す下方位置とすることで弁体４１は紐４８で引っ張られて開き位置となる。
前記紐４８を浴室から操作できるようにしても良い。例えば、紐４８を換気通路３０を通して浴室側に垂れ下げる。
また、開閉弁装置４０を浴室側に設け、浴室から開閉操作できるようにしても良い。例えば、換気通路３０の浴室側に横向きの弁本体を紐を引っ張ると閉じ状態となり、その紐をゆるませると開き状態となるようにする。
【００３１】
前述の各実施の形態は折戸であるが、片引戸、３枚引戸、開き戸にも適用できる。
片引戸や３枚引戸の場合には、上枠を、建物躯体側に取付ける固定部（前述の外側枠材１３に相当）と、障子がガイドするレールを備えたレール部（前述の内側枠材１４に相当）を有し、その固定部とレール部との間に換気通路３０を形成するようにすれば良い。
【００３２】
また、開き戸の場合には上枠１０の内側枠材１４と障子２の上框２０とに亘ってヒンジ又はアームストッパーを取付けるようにすれば良い。
つまり、上枠１０の内側枠材１４を障子２の装着構造に応じたものとすることで、開き戸、折戸、片引戸、３枚引戸などに対応できる。
【００３３】
また、上枠１０に換気通路３０を形成したが、上枠１０と上框２０との間に換気通路３０を形成するようにしても良い。
また、表裏面にパネルを設けた障子の場合には、その表裏面のパネルの上方部分に亘って換気通路を形成すれば良い。
要するに、建具における障子の上方部分に換気通路３０を形成し、その換気通路３０を流れる換気用の空気が障子の浴室側面に向けて流出し、その空気が障子の浴室側面に触れるようにすれば良い。
【図面の簡単な説明】
【００３４】
【図１】建具の外観図である。
【図２】建具の縦断面図である。
【図３】換気通路の第２の実施の形態を示す上枠部分の断面図である。
【図４】換気通路の第３の実施の形態を示す上枠部分の断面図である。
【図５】弁体の実施の形態を示す斜視図である。
【図６】換気通路の第４の実施の形態を示す上枠部分の断面図である。
【図７】換気通路の第５の実施の形態を示す上枠部分の断面図である。
【符号の説明】
【００３５】
１…枠体、２…障子、２ａ…浴室側面、１０…上枠、１３…外側枠材（第１枠材）、１４…内側枠材（第２枠材）、２０…上框、２３…面材、２３ａ…浴室側面、３０…換気通路、３１…浴室側通路、３２…脱衣室側通路、３３…中間通路、４０…開閉弁装置、４１…弁体。
【図１】
2008144438.tif 000003
【図２】
2008144438.tif 000004
【図３】
2008144438.tif 000005
【図４】
2008144438.tif 000006
【図５】
2008144438.tif 000007
【図６】
2008144438.tif 000008
【図７】
2008144438.tif 000009